(57)【要約】【課題】イオンを吹き出し口で発生させながら、送風性能の低下を最小限に抑え、かつ同時にバサツキ音の発生を抑えることができる空気調和機を提供する。【解決手段】ファン５と、スタビライザ７と、リアガイダ９と、熱交換器６と、前記熱交換器６で熱交換された空気を吹き出す吹き出し口１１と、リアガイダ９の吹出し口１１に臨む通風路内端部に設けられ流路絞り部を形成するブロック８を備え、ブロック８がイオンを発生させるイオン発生器を兼ねるようにしたもので、このブロック８により端部の吹き出し速度が改善され、不安定気流の発生を防止し、空気流の乱れを抑制する。また、エアフィルタ１２に埃が堆積することなどにより通風抵抗が大きくなった時に生じるバサバサという断続的異常音を低減することができる。さらにブロック８がイオン発生器を兼ねているため、送風性能の低下を最小限に抑えつつイオンを効果的に放出できる。【選択図】図２
2008175428.tif 000002
【特許請求の範囲】
【請求項１】
少なくとも、ファンと、スタビライザと、リアガイダと、熱交換器と、前記熱交換器で熱交換された空気を吹き出す吹き出し口とを備えた空気調和機であって、前記リアガイダの前記吹出し口に臨む通風路内端部に流路絞り部を形成するブロックを設け、前記ブロックがイオンを発生させるイオン発生器を兼ねるようにしたことを特徴とする空気調和機。
【請求項２】
ブロックの高さを、吹き出し口の上流から下流に向かって漸次高くしたことを特徴とする請求項１に記載の空気調和機。
【請求項３】
ブロックの幅を、吹き出し口の上流から下流に向かって漸次広くしたことを特徴とする請求項１または２に記載の空気調和機。
【請求項４】
イオン発生器がマイナスイオンを発生することを特徴とする請求項１〜３のいずれか１項に記載の空気調和機。
【請求項５】
吹き出し口から吹き出し方向へ１ｍの距離で検出されるマイナスイオンの数が、１、０００、０００個／ｃｃ以上になるようなイオン発生器としたことを特徴とする請求項４に記載の空気調和機。
【請求項６】
ブロックに開口部を設け、イオンを発生させる電極を、前記開口部に位置させたことを特徴とする請求項１〜５のいずれか１項に記載の空気調和機。
【請求項７】
イオンを発生させる電極を、熱交換された空気の吹き出し方向に対して垂直方向に配置したことを特徴とする請求項１〜６のいずれか１項に記載の空気調和機。
【請求項８】
イオンを発生させる電極をファンの中央方向に配置し、対向電極を前記ファンの端部方向に配置したことを特徴とする請求項１〜７のいずれか１項に記載の空気調和機。
【発明の詳細な説明】
【技術分野】
【０００１】
本発明は、住宅などの空調に用いる空気調和機に関するもので、特に空気調和機の室内機に関するものである。
【背景技術】
【０００２】
従来、クロスフローファンを備えた空気調和機の室内機は、クロスフローファン端部においては、壁面との摩擦損失が生じ、両端部の空気の吹き出し速度は図７（ａ）に示すように他の部分に比べて小さくなり、不安定空気流や逆吸い込みを起こしやすい。この不安定空気流や逆吸い込みといった空気流の乱れにより耳障りな騒音（サージング）が発生するという課題を有していた。
【０００３】
そこで、リアガイダの少なくとも一方の端部のクロスフローファン近傍から吹き出し口の間に略立方体形状のブロックや、側断面形状が略三角形のブロックを設けて、端部の吹き出し速度を改善し（図７の（ｂ））、逆吸い込みを防止し、吹き出し風向きを偏向した場合でも、空気流の乱れを抑制するようにしている。また、エアフィルタに埃が堆積することなどにより通風抵抗が大きくなった時に生じるバサバサという断続的異常音（バサツキ音、サージング）を低減している（例えば、特許文献１参照）。
【０００４】
図６は、上記特許文献１に記載された従来の空気調和機の室内機の要部斜視図である。図６に示すように、従来の空気調和機の室内機は、ケーシングを構成するスタビライザ７とリアガイダ９との間に配設されたファン５と、スタビライザ７とリアガイダ９とで構成され空気を吹き出す吹き出し口１１と、吹き出し口１１に設けられ吹き出し風向を偏向するルーバー１０とを備えて、送風回路を構成し、リアガイダ９の少なくとも一方の端部の前記ファン５近傍から前記吹き出し口１１までの間にブロック８が設けられていた。
【０００５】
ところで、近年の空気調和機は冷房や暖房を行うに留まらず、快適な室内環境を創造すべく各種機能が付与されており、マイナスイオン発生装置を備えた空気調和機が開示されている（例えば、特許文献２参照）。
【特許文献１】特開平５−８７０８７号公報
【特許文献２】特開２００１−７４２６５号公報
【発明の開示】
【発明が解決しようとする課題】
【０００６】
しかしながら、前記特許文献１に記載された従来の空気調和機の構成では、ブロック８による効果により、流れの軸方向乱れを抑制し、空気の流れを整流させてバサツキ音（サージング）を抑え、空気の流れを円滑にすることができるが、一方で吹き出し口の通風抵抗が大きくなるという課題を有していた。
【０００７】
また、上記特許文献２に記載された空気調和機では、室内機の吹き出し口にイオン発生器を具備しているものがあり、この場合、吹き出される空気によりイオンを効果的に被空調室内に放出させることができるが、一方、通風抵抗となる部品を通風路上に配置するため、送風性能が悪化するという課題を有していた。
【０００８】
本発明は、上記従来の課題を解決するもので、イオンを吹き出し口で発生させながら、送風性能の低下を最小限に抑え、かつ同時にバサツキ音の発生を抑えることのできる空気調和機を提供することを目的とする。
【課題を解決するための手段】
【０００９】
前記従来の課題を解決するために、本発明の空気調和機は、少なくとも、ファンと、スタビライザと、リアガイダと、熱交換器と、前記熱交換器で熱交換された空気を吹き出す吹き出し口とを備えた空気調和機であって、前記リアガイダの前記吹出し口に臨む通風路内端部に流路絞り部を形成するブロックを設け、前記ブロックがイオンを発生させるイオン発生器を兼ねるようにしたもので、このブロックにより端部の吹き出し速度が改善され、不安定気流の発生を防止し、空気流の乱れを抑制する。また、エアフィルタに埃が堆積することなどにより通風抵抗が大きくなった時に生じるバサバサという断続的異常音（バサツキ音、サージング）を低減することができる。さらにこのブロックがイオン発生器を兼ねているため、送風性能の低下を最小限に抑えつつイオンを効果的に被空調室内に放出させることができる。
【発明の効果】
【００１０】
本発明の空気調和機は、イオンを吹き出し口で発生させながら、送風性能の低下を最小限に抑え、かつ同時にバサツキ音の発生を抑えることができる。
【発明を実施するための最良の形態】
【００１１】
第１の発明は、少なくとも、ファンと、スタビライザと、リアガイダと、熱交換器と、前記熱交換器で熱交換された空気を吹き出す吹き出し口とを備えた空気調和機であって、前記リアガイダの前記吹出し口に臨む通風路内端部に流路絞り部を形成するブロックを設け、前記ブロックがイオンを発生させるイオン発生器を兼ねるようにしたもので、このブロックにより端部の吹き出し速度が改善され、不安定気流の発生を防止し、空気流の乱れを抑制する。また、エアフィルタに埃が堆積することなどにより通風抵抗が大きくなった時に生じるバサバサという断続的異常音（バサツキ音、サージング）を低減することができる。さらにこのブロックがイオン発生器を兼ねているため、送風性能の低下を最小限に抑えつつイオンを効果的に被空調室内に放出させることができる。
【００１２】
第２の発明は、特に、第１の発明のブロックの高さを、吹き出し口の上流から下流に向かって漸次高くしたもので、リアガイダの上流から流れてくる空気流は滑らかにブロック上を通過することとなり、送風性能の低下を少なくしながら、異常断続音（サージング）を低減することができる。
【００１３】
第３の発明は、特に、第１または第２の発明のブロックの幅を、吹き出し口の上流から下流に向かって漸次広くしたもので、静圧を高めることにより、エアフィルタに塵埃等が蓄積し、通風抵抗が増加した際に生じやすくなるサージングを抑制することができる。
【００１４】
第４の発明は、特に、第１〜３のいずれか１つの発明のイオン発生器がマイナスイオンを発生するもので、マイナスイオンによる快適な室内環境の創造を実現することができる。
【００１５】
第５の発明は、特に、第４の発明の吹き出し口から吹き出し方向へ１ｍの距離で検出されるマイナスイオンの数が、１、０００、０００個／ｃｃ以上になるようなイオン発生器としたもので、酸素が負イオン化したスーパーオキシドアニオンが室内空気中に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することが可能な空気調和機を提供することができる。
【００１６】
第６の発明は、特に、第１〜５のいずれか１つの発明のブロックに開口部を設け、イオンを発生させる電極を、前記開口部に位置させたもので、発生させたイオンを吹き出され
る空気で効率的に被空調室内に放出することができる。
【００１７】
第７の発明は、特に、第１〜６のいずれか１つの発明のイオンを発生させる電極を、熱交換された空気の吹き出し方向に対して垂直方向に配置したもので、電極で発生したイオンが対向電極に接触するのを防止し、吹き出し口でのイオン減少を抑制することができる。
【００１８】
第８の発明は、特に、第１〜７のいずれか１つの発明のイオンを発生させる電極をファンの中央方向に配置し、対向電極を前記ファンの端部方向に配置したもので、風速が小さくなるファンの端部方向に対向電極を、風速が大きくなるファンの中央方向にイオンを発生させる電極をそれぞれ配置することで、発生させたイオンを、吹き出される空気で効率的に被空調室内に放出することができ、かつ帯電した塵埃が付着しやすい対向電極の汚染を軽減することができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における空気調和機の室内機の外観斜視図、図２は、同室内機の断面略図、図３は、同室内機のリアガイダの斜視図である。
【００２１】
図１〜図３において、本実施の形態における空気調和機の室内機本体１（以下「本体１」という）は、台枠２と、この台枠２の前方に取り付けられた前面カバー３とからなり、台枠２および前面カバー３の上部には、吸い込みグリル４が設けられている。
【００２２】
本体１には、クロスフローファン形のファン５が内蔵され、そのファン５の中心から見て略全域を囲むようにスタビライザ７、リアガイダ９、熱交換器６が配されている。
【００２３】
吹き出し口１１は、熱交換器６で熱交換された空気が吹き出す吹き出し口で、その吹き出し口１１には、吹き出し風向を変えるルーバー１０が設けられている。そして、図３に示すように、リアガイダ９の吹き出し口１１に臨む部分の少なくとも一方の端部の位置に、流路絞り部を形成する三角錐状のブロック８が配されており、このブロック８は、イオンを発生させるイオン発生器を兼ねている。
【００２４】
以上のように構成された空気調和機について、以下その動作、作用を説明する。
【００２５】
本実施の形態においては、リアガイダ９上の吹き出し口１１に臨む通風路内端部に流路絞り部を設け、前記流路絞り部を形成するブロック８を配することにより、熱交換器６により熱交換された空気の端部における吹き出し速度が改善され、不安定気流の発生を防止し、空気流の乱れを抑制する。また、通風路中に設けたエアフィルタ１２に埃が堆積することなどにより通風抵抗が大きくなった時に生じるバサバサという断続的異常音（バサツキ音、サージング）を低減することができる。
【００２６】
このとき、ブロック８の高さを、吹き出し口１１の上流から下流に向かって漸次高くした形状とすると、リアガイダ９の上流から流れてくる空気流は、滑らかにブロック８上を通過することとなり、送風性能の低下を少なくしながら、異常断続音（サージング）を低減することができ、より好ましい効果が得られる。
【００２７】
また、ブロック８は、その幅が、吹き出し口１１の上流から下流に向かって、漸次広がるように成型されており、静圧を高めることにより、エアフィルタ１２に、塵埃等が蓄積
し、通風抵抗が増加した際に生じやすくなるサージングをより抑制することができ、より好ましい効果が得られる。
【００２８】
よって、ブロック８の好ましい形状としては、これらを両立させた形状であり、本実施の形態では、三角錐形状で説明しているが、これに限定するものではなく、直方体や三角柱、もしくは一部の面が曲面で構成された三角錐などを用いることもできる。
【００２９】
このブロック８は、イオン発生器を兼ねているため、送風性能の低下を、最小限に抑えつつイオンを効果的に被空調室内に放出させることができる。ここでイオン発生器として、マイナスイオンを発生させるイオン発生器を用いることにより、マイナスイオンによる快適な室内環境の創造を実現することができる。
【００３０】
またイオン発生器を、吹き出し口１１から吹き出し方向１ｍの位置で１、０００、０００個／ｃｃ以上のマイナスイオンが検出されるレベルとすることで、酸素が負イオン化したスーパーオキシドアニオンが室内空気中に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することを可能とした空気調和機を提供することができる。
【００３１】
酸素が負イオン化したスーパーオキシドアニオンの効果については、例えば、「防菌防黴」誌ＶＯＬ．２５、Ｎｏ．１１、６２５〜６３１ページ、１９９７年、「負イオンを利用した微生物増殖防止」に掲載されている。実際の効果としては、吹き出し口１１から吹き出し方向１ｍの位置で、アンデス電気株式会社製の空気イオンカウンター（機種名ＩＴＣ−２０１Ａ）で測定して１、０００、０００個／ｃｃ以上のマイナスイオンが検出されれば問題はなく、イオン発生器の方式、形態は問わない。
【００３２】
以上のように、本実施の形態においては、吹き出し口１１から吹き出し方向１ｍの距離で１、０００、０００個／ｃｃ以上のマイナスイオンが検出されるイオン発生器を兼ねるブロック８を吹き出し口１１に設けることにより、酸素が負イオン化したスーパーオキシドアニオンが、室内空気中に大量に放出され、スーパーオキシドアニオンが生体細胞内においてさまざまな生理障害を引き起こし細胞を失活させることにより、アレルゲン、ウイルス、浮遊カビ、浮遊細菌などの室内空気中に浮遊する空気中の不純物の活動抑制、不活化することを可能とした空気調和機を提供することができる。
【００３３】
図４は、吹き出し口１１から吹き出し方向１ｍの距離でのマイナスイオン量とアレルゲン、ウイルス、浮遊カビ、浮遊細菌の活動抑制効果を示したものであり、従来、一般的であった、吹き出し口１１から吹き出し方向１ｍの距離で３００、０００個／ｃｃ以下では、アレルゲン、ウイルス、浮遊カビ、浮遊細菌の活動抑制効果は見られないが、吹き出し口１１から吹き出し方向１ｍの距離で１、０００、０００個／ｃｃ以上ではアレルゲン、ウイルス、浮遊カビ、浮遊細菌の活動抑制効果を確認した。
【００３４】
なお、試験は６畳相当の試験室で空気調和機を実際に運転して実施し、アレルゲンとしてはコナヒョウダニおよびスギ花粉、ウイルスとしてはインフルエンザウイルス、浮遊かびおよび浮遊細菌としては室内空気および座布団などに含まれたものを供試サンプルとして用いた。
【００３５】
図５は、本発明の実施の形態における、イオン発生器を兼ねたブロック８の詳細図である。
【００３６】
ブロック８は、格子状に成型されて複数の開口部８ａを備えている。ブロック８内部に
、アースとマイナス高電圧をそれぞれ印可した２本の電極からなり、放電によってマイナス高電圧を印可したイオン発生電極２１の端部（図５（ｂ）のイオン発生電極２１の上端）よりイオンが発生する。２２は、電極２１に対向して配された対向電極となるアース電極である。
【００３７】
ここで、図５に示すように、ブロック８は内包するイオン発生電極２１から生じたイオンを供給するために、少なくとも一部を開口し通風可能な構成となっている。
【００３８】
このとき、図５に示すようにイオン発生電極２１の端部を、ブロック８の開口部８ａに位置するよう配置することにより、発生させたイオンを、吹き出される空気で効率的に被空調室内に放出することができる。
【００３９】
上記実施の形態では、ブロック８を格子状に成型して開口部８ａを持たせたもので説明をしているが、イオンを供給するための開口部８ａにイオン発生電極２１の端部が配置されていればよく、たとえばブロック８を平板で構成し、一部にスリット状の隙間を設けるなどとしてもよい。
【００４０】
また、イオン発生電極２１を吹き出し方向に対して垂直方向に配置することで、イオン発生電極２１で発生したイオンが、アース電極２２に接触するのを防止し、吹き出し口１１でのイオン減少を抑制することができる。
【００４１】
また、イオン発生電極２１を、ファン５の中央方向に配置し、アース電極２２をファン５の端部方向に配置するようにしてもよい。壁面との摩擦損失のためファン５の両端部の空気の吹き出し速度は、ブロック８による整流をおこなった場合においても、図７（ｂ）に示すように他の部分に比べて小さくなるが、この風速が小さくなる端部方向にアース電極２２を配置し、風速が大きくなる中央方向にイオン発生電極２１を配置することで、発生させたイオンを吹き出される空気で効率的に被空調室内に放出することができ、かつ帯電した塵埃が付着しやすいアース電極２２の汚染を軽減することができる。
【産業上の利用可能性】
【００４２】
以上のように、本発明に係る空気調和機は、イオンを吹き出し口で発生させながら、送風性能の低下を最小限に抑え、かつ同時にバサツキ音の発生を抑えることができるので、空気調和機のみならず、換気装置、空気清浄機、送風装置および扇風機など、クロスフローファンを用いるあらゆる機器、装置に利用できる発熱体と導電線との間に設置される電子部品等の用途にも適用できる。
【図面の簡単な説明】
【００４３】
【図１】本発明の実施の形態１における空気調和機の室内機の外観斜視図
【図２】同室内機の断面略図
【図３】同室内機のリアガイダの斜視図
【図４】同空気調和機の特性を示す特性図
【図５】（ａ）同空気調和機のブロックの拡大平面図（ｂ）同ブロックの拡大正面図
【図６】従来の空気調和機の室内機の内部構成を示す要部斜視図
【図７】（ａ）従来の空気調和機においてブロックがないときのファンの軸方向の吹き出し速度分布図（ｂ）同空気調和機においてブロックがあるときのファンの軸方向の吹き出し速度分布図
【符号の説明】
【００４４】
１  室内機本体（本体）
２  台枠
３  前面カバー
４  吸い込みグリル
５  ファン
６  熱交換器
７  スタビライザ
８  ブロック
９  リアガイダ
１０  ルーバー
１１  吹き出し口
１２  エアフィルタ
２１  イオン発生電極
２２  アース電極（対向電極）
【図１】
2008175428.tif 000003
【図２】
2008175428.tif 000004
【図３】
2008175428.tif 000005
【図４】
2008175428.tif 000006
【図６】
2008175428.tif 000007
【図７】
2008175428.tif 000008
【図５】
2008175428.tif 000009